(57)【要約】【課題】斜め入射光による焦点検出用画素から隣接画素へのクロストーク光量と、撮影画素から隣接画素へのクロストーク光量の差異を低減する。【解決手段】結像光学系の瞳領域を通過する光束を受光する複数の撮像画素と、前記瞳領域の部分領域である瞳部分領域を通過する光束を受光する複数の焦点検出用画素と、を有し、前記瞳領域の重心と前記瞳部分領域の重心とが異なっている撮像素子であって、前記焦点検出用画素に異なる複数の分光透過率を有する透過部材を配置し、前記透過部材は、前記撮像画素に隣接する周辺部分の分光透過率が中央部分の分光透過率より小さくなるように構成される。【選択図】図３
2014178638.tif 000002
【特許請求の範囲】
【請求項１】
結像光学系の瞳領域を通過する光束を受光する複数の撮像画素と、
前記瞳領域の部分領域である瞳部分領域を通過する光束を受光する複数の焦点検出用画素と、を有し、
前記瞳領域の重心と前記瞳部分領域の重心とが異なっている撮像素子であって、
前記焦点検出用画素に異なる複数の分光透過率を有する透過部材を配置し、
前記透過部材は、前記撮像画素に隣接する周辺部分の分光透過率が中央部分の分光透過率よりも小さくなるように構成されることを特徴とする撮像素子。
【請求項２】
前記中央部分の分光透過率を有する透過部材は、当該透過部材の上下の部材と同じ部材で構成されることを特徴とする請求項１に記載の撮像素子。
【請求項３】
前記中央部分の分光透過率は、白色の分光透過率であることを特徴とする請求項１に記載の撮像素子。
【請求項４】
前記周辺部分の分光透過率は、前記焦点検出用画素と隣接する撮像画素の透過部材と同じ分光透過率を有することを特徴とする請求項１乃至３のいずれか１項に記載の撮像素子。
【請求項５】
前記焦点検出用画素の透過部材は、前記焦点検出用画素と隣接する撮像画素の透過部材に対して一部が重なり合っていることを特徴とする請求項４に記載の撮像素子。
【請求項６】
前記周辺部分の分光透過率は、撮像素子全体の透過部材の配列に即して設定され、２つ隣の第２隣接画素の透過部材と同じ分光透過率を有することを特徴とする請求項１乃至３のいずれか１項に記載の撮像素子。
【請求項７】
前記焦点検出用画素は、第１焦点検出用画素と第２焦点検出用画素を含み、
前記第１焦点検出用画素の第１瞳部分領域の重心と、前記第２焦点検出用画素の第２瞳部分領域の重心とを光軸に対して互いに反対方向に偏心させ、
前記第１瞳部分領域の重心と、前記第２瞳部分領域の重心とを所定の瞳距離で平均することで、前記瞳領域の重心と一致させていることを特徴とする請求項１乃至６のいずれか１項に記載の撮像素子。
【請求項８】
請求項１乃至７のいずれか１項に記載の撮像素子と、
前記焦点検出用画素からの信号を用いて焦点検出を行う焦点検出手段と、
前記焦点検出手段による検出結果に応じて合焦状態になるように前記結像光学系を制御する制御手段と、を有することを特徴とする撮像装置。
【請求項９】
前記焦点検出手段は、前記焦点検出用画素を用いて瞳分割位相差方式の焦点検出を行うことを特徴とする請求項８に記載の撮像装置。
【発明の詳細な説明】
【技術分野】
【０００１】
本発明は、撮像素子および撮像装置に関する。
【背景技術】
【０００２】
撮影レンズの焦点状態を検出する方式の１つとして、２次元に配列された各画素にマイクロレンズが形成された撮像素子を用いた瞳分割位相差方式（撮像面位相差方式）がある。例えば、特許文献１には、撮像画素が２次元的に配列された撮像素子に、部分的に１対の焦点検出用画素を配置した構成が記載されている。１対の焦点検出用画素は、開口部を有する遮光層により、撮影レンズの射出瞳の異なる領域を受光するように構成され、瞳分割を行っている。焦点検出用画素の信号から像ずれ量を求めて焦点検出を行う。また、従来技術として、焦点検出用画素の瞳分割性能を良好にするため、焦点検出用画素のマクロレンズ曲率を、撮像画素のマイクロレンズ曲率と異ならせる構成がある。また、焦点検出用画素の受光感度を向上させるために、透過率が低下するカラーフィルタを配置しない構成がある。
【先行技術文献】
【特許文献】
【０００３】
【特許文献１】特開２０００−１５６８２３号公報
【発明の概要】
【発明が解決しようとする課題】
【０００４】
しかしながら、焦点検出用画素の構成が、撮像画素の構成と異なるために、斜め入射光による焦点検出用画素から隣接画素へのクロストーク光量と、撮像画素から隣接画素へのクロストーク光量とが異なる場合がある。この場合、撮影条件によっては焦点検出用画素周辺の撮像画素で光量の浮きや沈みが発生する。
【０００５】
本発明は、上記課題に鑑みてなされ、その目的は、斜め入射光による焦点検出用画素から隣接画素へのクロストーク光量と、撮像画素から隣接画素へのクロストーク光量の差異を低減する技術を実現することである。
【課題を解決するための手段】
【０００６】
上記課題を解決し、目的を達成するために、本発明の撮像素子は、結像光学系の瞳領域を通過する光束を受光する複数の撮像画素と、前記瞳領域の部分領域である瞳部分領域を通過する光束を受光する複数の焦点検出用画素と、を有し、前記瞳領域の重心と前記瞳部分領域の重心とが異なっている撮像素子であって、前記焦点検出用画素に異なる複数の分光透過率を有する透過部材を配置し、前記透過部材は、前記撮像画素に隣接する周辺部分の分光透過率が中央部分の分光透過率より小さくなるように構成される。
【発明の効果】
【０００７】
本発明によれば、斜め入射光による焦点検出用画素から隣接画素へのクロストーク光量と、撮影画素から隣接画素へのクロストーク光量の差異を低減することができる。
【図面の簡単な説明】
【０００８】
【図１】本発明に係る実施形態の撮像装置の構成を示す図。
【図２】本実施形態の画素配列を概略的に示す図。
【図３】本実施形態の第１焦点検出用画素の概略構成を示す平面図及び断面図。
【図４】本実施形態の第２焦点検出用画素の概略構成を示す平面図及び断面図。
【図５】本実施形態の撮像画素の概略構成を示す平面図及び断面図。
【図６】本実施形態の変形例の焦点検出用画素の概略構成を示す平面図及び断面図。
【図７】本実施形態の撮像画素と焦点検出用画素が隣接する撮像素子の断面図。
【図８】Ｇ撮像画素とＲ撮像画素が隣接する従来のＣＭＯＳ撮像素子の平面図及び断面図。
【図９】撮像画素とＷ焦点検出用画素が隣接する従来のＣＭＯＳ撮像素子の平面図及び断面図。
【図１０】本実施形態の光軸に平行な入射光の光強度分布を例示する図。
【図１１】本実施形態の透過部材の開口部の形状を例示する図。
【図１２】本実施形態の瞳分割を説明する図。
【発明を実施するための形態】
【０００９】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成しても良い。
【００１０】
本発明の撮像素子及び撮像装置は、特にデジタルビデオカメラやデジタルスチルカメラ（以下、カメラ）に有用なものであり、２次元に配列された各画素にマイクロレンズが形成された撮像素子を用いて瞳分割位相差方式で焦点検出を行う。
【００１１】
［装置構成］図１を参照して、本発明に係る実施形態のカメラの構成について説明する。本実施形態のカメラは、撮像素子を有したカメラ本体と結像光学系が一体となっており、動画及び静止画が記録可能である。
【００１２】
図１において、１０１は結像光学系の先端に配置された第１レンズ群で、光軸方向に進退可能に保持される。１０２は絞り兼シャッタ（以下、絞り）で、その開口面積を調節することで撮影時の光量調節を行うほか、静止画撮影時には露光秒時調節用シャッタとしての機能も備える。１０３は第２レンズ群である。そして絞り１０２及び第２レンズ群１０３は一体となって光軸方向に駆動され、第１レンズ群１０１との連動により変倍作用（ズーム機能）を実現する。
【００１３】
１０５は第３レンズ群で、光軸方向の進退により焦点調節を行う。１０６は光学的ローパスフィルタで、撮影画像の偽色やモアレを軽減するための光学素子である。１０７はＣＭＯＳ撮像素子とその周辺回路で構成されたＣＭＯＳイメージセンサ（以下、撮像素子）である。
【００１４】
１１１はズームアクチュエータで、不図示のカム筒を手動もしくはアクチュエータで回動することにより、第１レンズ群１０１ないし第３レンズ群１０３を光軸方向に駆動し、ズーム機能を実現する。１１２は絞りアクチュエータで、絞り１０２の開口面積を制御して撮影光量を調節すると共に、静止画撮影時の露光時間制御を行う。１１４はフォーカスアクチュエータで、第３レンズ群１０５を光軸方向に駆動して焦点調節を行う。
【００１５】
１１５は撮影時の被写体照明用電子フラッシュで、キセノン管を用いた閃光照明装置が好適であるが、連続発光するＬＥＤを備えた照明装置を用いても良い。１１６はＡＦ（オートフォーカス）補助光源であり、所定の開口パターンを有したマスクの像を、投光レンズを介して被写界に投影し、暗い被写体あるいは低コントラスト被写体に対する焦点検出能力を向上させる。
【００１６】
１２１はＣＰＵで、カメラ本体の種々の制御を司るために、演算部、ＲＯＭ、ＲＡＭ、Ａ／Ｄコンバータ、Ｄ／Ａコンバータ、通信インターフェイス回路等を有する。ＣＰＵ１２１は、ＲＯＭに記憶された所定のプログラムに基づいて、カメラが有する各種回路を駆動し、ＡＦ、撮影、画像処理と記録等の一連の動作を実行する。
【００１７】
１２２は電子フラッシュ制御回路で、撮影動作に同期して照明装置１１５を点灯制御する。
【００１８】
１２３は補助光源駆動回路で、焦点検出動作に同期してＡＦ補助光源１１６を点灯制御する。
【００１９】
１２４は撮像素子駆動回路で、撮像素子１０７の撮像動作を制御し、撮像素子１０７から取得したアナログ画像信号をデジタル信号に変換してＣＰＵ１２１に出力する。１２５は画像処理回路で、撮像素子１０７から取得した画像信号のγ変換、カラー補間、画像圧縮等の処理を行い、デジタル画像データを生成する。
【００２０】
１２６はフォーカス駆動回路で、後述する焦点検出結果に基づいてフォーカスアクチュエータ１１４を駆動し、第３レンズ群１０５を光軸方向に駆動して焦点調節を行う。
【００２１】
１２８は絞り駆動回路で、絞りアクチュエータ１１２を駆動して絞り１０２の開口面積を調節する。
【００２２】
１２９はズーム駆動回路で、撮影者による操作スイッチ１３２を介したズーム操作に応じてズームアクチュエータ１１１を駆動する。
【００２３】
１３１はＬＣＤ等の表示器で、カメラの撮影モードに関する情報、撮影前のプレビュー画像と撮影後の確認用画像、焦点検出時の合焦状態表示画像等を表示する。
【００２４】
１３２は操作スイッチ群で、電源スイッチ、シャッタースイッチ、ズーム操作スイッチ、撮影モード選択スイッチ等で構成される。
【００２５】
１３３はカメラ本体に対して着脱可能なフラッシュメモリで、撮影済み画像データを記録する。
【００２６】
［撮像素子の構成］次に、図２を参照して、本実施形態の撮像素子の画素配列について概説する。
【００２７】
図２は、本実施形態の撮像素子の画素配列を、２０列×２０行の範囲で示している。図２に示すように、本実施形態の撮像素子は、水平方向にＭ画素、垂直方向にＮ画素がそれぞれ２次元に配列された矩形の画素群からなり、高解像度の画像データが取得可能となっている。
【００２８】
図２に示す２行×２列の画素群２００は、Ｒ（赤）の分光透過率を有するカラーフィルタが配置された画素２００Ｒが左上に、Ｇ（緑）の分光透過率を有するカラーフィルタ（後述する透過部材）が配置された画素２００Ｇが右上と左下に、Ｂ（青）の分光透過率を有するカラーフィルタが配置された画素２００Ｂが右下にそれぞれ配置されている。また、図２に示す２行×２列の焦点検出用画素群２１０（２２０、２３０、２４０、２５０）は、右上と左下の２画素にＧの分光透過率を有するカラーフィルタが配置された撮像画素２１０Ｇ（２２０Ｇ、２３０Ｇ、２４０Ｇ、２５０Ｇ）と、左上に白色（Ｗ）の分光透過率を有する透過部材が配置された第１焦点検出用画素２１０ＳＡ（２２０ＳＡ、２３０ＳＡ、２４０ＳＡ、２５０ＳＡ）と、右下に白色（Ｗ）の分光透過率を有する透過部材が配置された第２焦点検出用画素２１０ＳＢ（２２０ＳＢ、２３０ＳＢ、２４０ＳＢ、２５０ＳＢ）が配置されている。なお、本実施形態では、カラーフィルタは透過部材に含まれる。焦点検出用画素は、後述するように、遮光層で部分領域である瞳部分領域を通過する光束を受光するように設計されるので、受光感度を保つために分光透過率の大きい透過部材が配置されることが一般的である。
【００２９】
［画素構成］次に、図３乃至図５を参照して、焦点検出用画素群２３０の構成について説明する。
【００３０】
図３（ａ）は図２に示す撮像素子の１つの第１焦点検出用画素２３０ＳＡを、撮像素子の受光面側（＋ｚ側）から見た平面図であり、図３（ｂ）は図３（ａ）のａ−ａ断面図である。また、図４（ａ）は図２に示す撮像素子の１つの第２焦点検出用画素２３０ＳＢを、撮像素子の受光面側（＋ｚ側）から見た平面図であり、図４（ｂ）は図４（ａ）のｂ−ｂ断面図である。また、図５（ａ）は図２に示す撮像素子の１つの撮像画素２３０Ｇを、撮像素子の受光面側（＋ｚ側）から見た平面図であり、図５（ｂ）は図５（ａ）のｃ−ｃ断面図である。
【００３１】
図示のように、第１焦点検出用画素２３０ＳＡ、第２焦点検出用画素２３０ＳＢおよび撮像画素２３０Ｇは、ｐ型層３００とｎ型層３０１の間にｎ−イントリンシック層３０２を挟んだｐｉｎ構造の光電変換部（以下、フォトダイオード（ＰＤ））が形成される。ＰＤの領域は、ｎ−イントリンシック層３０２に形成される空乏層とその周辺に少数キャリアの拡散距離だけ拡がった領域であり、概ね、ｎ−イントリンシック層３０２とｎ型層３０１を合わせた領域と重なる。必要に応じて、ｎ−イントリンシック層３０２を省略し、ｐｎ接合ＰＤとしても良い。
【００３２】
各画素の受光側には、入射光を集光するためのマイクロレンズ３０５が形成される。
【００３３】
図３に示す第１焦点検出用画素２３０ＳＡでは、マイクロレンズ３０５とＰＤとの間に、第１開口部３３１ａを有する第１遮光層３３０ａが形成され、ＰＤの受光面の重心に対し、第１開口部３３１ａの重心が−ｘ方向に偏心して構成される。
【００３４】
一方、図４に示す第２焦点検出用画素２３０ＳＢでは、マイクロレンズ３０５とＰＤとの間に、第２開口部３３１ｂを有する第２遮光層３３０ｂが形成され、ＰＤの受光面の重心に対し、第２開口部３３１ｂの重心が＋ｘ方向に偏心して構成される。このように、第１遮光層３３０ａの第１開口部３３１ａの重心と第２遮光層３３０ｂの第２開口部３３１ｂの重心が異なるように構成している。また、第１遮光層３３０ａの第１開口部３３１ａの重心と第２遮光３３０ｂの第２開口部３３１ｂの重心の平均値がＰＤの受光面の重心と概ね一致するように構成される。
【００３５】
図５に示す撮像画素２３０Ｇでは、マイクロレンズ３０５とＰＤとの間に、開口部３３１ｃを有する遮光層３３０ｃが形成され、ＰＤの受光面の重心と開口部３３１ｃの重心が一致するように構成される。
【００３６】
図１２（ａ）、（ｂ）の４００は結像光学系の射出瞳、５００は撮像画素２３０Ｇの瞳強度分布（瞳領域）、５３０ａは第１焦点検出用画素２３０ＳＡの瞳強度分布（第１瞳部分領域）、５３０ｂは第２焦点検出用画素２３０ＳＢの瞳強度分布（第２瞳部分領域）である。被写体からの光束は、結像光学系の射出瞳４００を通過してそれぞれの画素に入射する。
【００３７】
図１２（ｃ）の撮像画素２３０Ｇの瞳領域５００は、ＰＤの受光面と、マイクロレンズ３０５によって、概ね、共役関係になっており、撮像画素２３０Ｇで受光可能な瞳領域となっている。この場合、瞳距離が数１０ｍｍであるのに対し、マイクロレンズ３０５の直径は数μｍであるため、マイクロレンズ３０５の絞り値が数万となり、数１０ｍｍレベルの回折ボケが生じる。よって、ＰＤの受光面の像は、明瞭な領域とならずに、受光率分布となる。
【００３８】
撮像画素２３０Ｇの瞳領域５００は、結像光学系の射出瞳４００を通過した光束をより多く受光できるように可能な限り大きく、また、瞳領域５００の重心が、所定の瞳距離で結像光学系の光軸と概ね一致するように構成されている。
【００３９】
図１２（ａ）の第１焦点検出用画素２３０ＳＡの第１瞳部分領域５３０ａは、第１遮光層３３０ａの重心が−ｘ方向に偏心している第１開口部３３１ａと、マイクロレンズ３０５によって、概ね、共役関係になっている。これにより、第１瞳部分領域５３０ａは、第１焦点検出用画素２３０ＳＡで受光可能な瞳部分領域となっている。第１焦点検出用画素２３０ＳＡの第１瞳部分領域５３０ａは、撮像画素２３０Ｇの瞳領域５００より小さく、瞳面上で＋Ｘ側に重心が偏心している。
【００４０】
図１２（ｂ）の第２焦点検出用画素２３０ＳＢの第２瞳部分領域５３０ｂは、第２遮光層３３０ｂの重心が＋ｘ方向に偏心している第２開口部３３１ｂと、マイクロレンズ３０５によって、概ね、共役関係になっている。これにより、第２瞳部分領域５３０ｂは、第２焦点検出用画素２３０ＳＢで受光可能な瞳領域となっている。第２焦点検出用画素２３０ＳＢの第２瞳部分領域５３０ｂは、撮像画素の瞳領域５００より小さく、瞳面上で−Ｘ側に重心が偏心している。
【００４１】
第１焦点検出用画素２３０ＳＡの第１瞳部分領域５３０ａの重心と第２焦点検出用画素２３０ＳＢの第２瞳部分領域５３０ｂの重心は異なっているため、反対方向に偏心している。これにより、結像光学系の射出瞳４００をＸ方向に瞳分割することができる。同様にして、第１遮光層３３０ａの第１開口部３３１ａの重心を−ｙ方向に偏心させ、第２遮光層３３０ｂの第２開口部３３１ｂの重心を＋ｙ方向に偏心させると、結像光学系の射出瞳４００をＹ方向に瞳分割することができる。
【００４２】
本実施形態では、第１瞳部分領域５３０ａの重心と第２瞳領域５３０ｂの重心が異ならせ、第１瞳部分領域５３０ａの重心と第２瞳領域５３０ｂの重心との平均を、所定の瞳距離で、瞳領域５００の重心と概ね一致させている。
【００４３】
上述した本実施形態の撮像素子は、結像光学系の瞳領域を通過する光束を受光する複数の撮像画素と、瞳領域の部分領域である瞳部分領域を通過する光束を受光する複数の焦点検出用画素とを有し、瞳領域の重心と瞳部分領域の重心とが異なるように構成される。そして、遮光層により部分領域のみを通過した光束がＰＤに受光され、ＰＤでの受光光量が低下するので、焦点検出用画素の透過部材には分光透過率の大きい透過部材、または吸光のない素材で構成されることが望ましい。
【００４４】
本実施形態では、図３及び図４に示す焦点検出用画素２３０ＳＡ、２３０ＳＢには、異なる分光透過率を有する２つの透過部材３４０ａ、３４０ｂが配置される。つまり、本実施形態では、焦点検出用画素に異なる複数の分光透過率を有する透過部材が配置される。透過部材３４０ｂは、分光透過率の大きい透過部材とすることで受光率が低下しないようにすることが望ましい。さらに、本実施形態では、カラーフィルタを形成するためのフォトリソプロセス数を増加させず、製造プロセスを簡略化するために、透過部材３４０ｂは、透過部材３４０ｂの上下の部材と同じ部材が充填されて構成される。
【００４５】
反対に、透過部材３４０ａは斜め入射光による隣接画素へのクロストーク光量を抑制するために、透過部材３４０ｂよりも分光透過率を小さくするか、隣接画素と同じ分光透過率とするか、２つ隣の画素（第２隣接画素）と同じ分光透過率とする。
【００４６】
図３（ａ）及び図４（ａ）では透過部材３４０ａにおける透過部材３４０ｂが充填される開口部は、図１１（ａ）に示すような四角形状であるが、図１１（ｂ）に示すような円形状でも良い。
【００４７】
図１０に、マイクロレンズの光軸に平行に光が入射した場合の焦点検出用画素内の光強度分布の例を示す。ここで、Ｐは画素周期、ｆはマイクロレンズの焦点距離、ｄは透過部材の開口部の開口径、ｈは透過部材とマイクロレンズ焦点位置との距離、Ｈはマイクロレンズの主点である。図３及び図４の透過部材３４０ａの開口部３４０ｂの開口径ｄは、マイクロレンズの光軸に平行に光が入射した場合の焦点検出用画素の受光感度が低下しないように、概ね、式（１）の条件を満たすように構成することが望ましい。画素周期Ｐが４．３μｍ、マイクロレンズの焦点距離ｆが６．５μｍ、透過部材とマイクロレンズ焦点位置との距離ｈが３．９μｍの例では、透過部材の開口部の開口径ｄは２．７３μｍである。
【００４８】
ｄ＝ｈ／√｛（ｆ／ｐ）2−１／４｝・・・（１）
図３及び図４の透過部材３４０ａの開口部３４０ｂは、図３の遮光層３３０ａ（図４の遮光層３３０ｂ）の開口部３３１ａ、３３１ｂの光軸からの偏心量などに合わせて、光軸から偏心させて構成しても良い。
【００４９】
比較のために、図８及び図９を用いて従来の構成について説明する。
【００５０】
図８（ａ）はＧ撮像画素とＲ撮像画素が隣接する従来のＣＭＯＳ撮像素子の平面図、図８（ｂ）は図８（ａ）のｄ−ｄ断面であって、Ｒ撮像画素に入射光が斜めに入射した場合の画素内部での光強度分布の一例を示している。一方、図９（ａ）は撮像画素と白色（Ｗ）焦点検出用画素が隣接する従来のＣＭＯＳ撮像素子の平面図、図９（ｂ）は図９（ａ）のｅ−ｅ断面であって、Ｗ焦点検出用画素に入射光が斜めに入射した場合の画素内部での光線（図中の矢印）の光路の一例を示している。図８及び図９の３４０Ｇ、３４０Ｗ、３４０Ｒは透過部材であり、一般的にはベイヤー配列の規則に即したカラーフィルタが配置される。図８（ｂ）と図９（ｂ）を比較すると、斜め入射光による隣接画素へのクロストーク光量が、図９（ｂ）の方が多くなる。このように、焦点検出用画素の構成が、撮影画素の構成と異なることにより、斜め入射光による焦点検出用画素から隣接画素へのクロストーク光量と、撮影画素から隣接画素へのクロストーク光量が異なってしまう。
【００５１】
［効果の説明］次に、図７を参照して、本実施形態の効果について説明する。
【００５２】
図７は本実施形態の撮像画素と焦点検出用画素が隣接する撮像素子の断面図であって、入射光が斜めに入射した場合の画素内部での光強度分布の一例を示している。
【００５３】
図７に示すように、焦点検出用画素の透過部材３４０ａの分光透過率は、、第２隣接画素（２つ隣のＲ撮像画素）のＲカラーフィルタの分光透過率と同じであり、透過部材３４０ｂの分光透過率は白色（Ｗ）の分光透過率となっている。本実施形態の焦点検出用画素では、周辺部分の透過部材３４０ａは可視域の分光透過率が小さく、中央部分の透過部材３４０ｂは可視域の分光透過率が大きくなるように構成される。また、焦点検出用画素の透過部材の一部（開口部）は、焦点検出用画素の受光感度を保つために、可視域の分光透過率が撮像画素よりも大きい。
【００５４】
本実施形態の構成により、図９（ｂ）の従来例で生じていた斜め入射光による隣接画素へのクロストーク光が、可視域の分光透過率が小さい透過部材３４０ａにより吸収され、減少する。図７の構成と図９（ｂ）の従来例とを比較すると、図７の構成によって焦点検出用画素から隣接画素へのクロストーク光量が低減されるので、図８（ｂ）の撮影画素から隣接画素へのクロストーク光量による差異が低減される。
【００５５】
このように、本実施形態によれば、斜め入射光による焦点検出用画素から隣接画素へのクロストーク光量と、撮影画素から隣接画素へのクロストーク光量の差異を低減することができる。
【００５６】
焦点検出用画素から隣接画素へのクロストーク光量と、撮影画素から隣接画素へのクロストーク光量の差異をより低減するために、焦点検出用画素の透過部材３４０ａの分光透過率は、撮像素子全体の透過部材の配列（例えば、ベイヤー配列）に即して設定され、第２隣接画素（２つ隣の画素）の透過部材の分光透過率と同等であることが望ましい。
【００５７】
また、図６に示すように、隣接撮像画素の透過部材３４０に対して、焦点検出用画素の透過部材３４０ａの一部が重なり合った構成となっても良い。
【００５８】
また、製造プロセスを簡略化するために、焦点検出用画素に隣接する撮像画素の透過部材３４０の分光透過率と焦点検出用画素の透過部材３４０ｂの分光透過率とを同等としても良い。
【００５９】
以上説明したように、本実施形態によれば、斜め入射光による焦点検出用画素から隣接画素へのクロストーク光量と、撮影画素から隣接画素へのクロストーク光量の差異を低減することができる。
【図１】
2014178638.tif 000003
【図２】
2014178638.tif 000004
【図３】
2014178638.tif 000005
【図４】
2014178638.tif 000006
【図５】
2014178638.tif 000007
【図６】
2014178638.tif 000008
【図７】
2014178638.tif 000009
【図８】
2014178638.tif 000010
【図９】
2014178638.tif 000011
【図１０】
2014178638.tif 000012
【図１１】
2014178638.tif 000013
【図１２】
2014178638.tif 000014